(57)【特許請求の範囲】
【請求項１】
デジタルテレビ放送を受信する受信機にて選局されたチャンネルの放送番組の映像を３Ｄ映像に非対応の表示部に表示するデジタルテレビ受信装置であって、  前記選局されたチャンネルの放送番組が左視野映像及び右視野映像によって３Ｄ映像で表示できる３Ｄ映像番組であるか否かを判定する３Ｄ映像番組判定手段と、 該３Ｄ映像番組判定手段により前記選局されたチャンネルの放送番組が前記３Ｄ映像番組であると判定されたときに、前記３Ｄ映像番組と同じ内容の左視野映像及び右視野映像の区別のない映像である２Ｄ映像の２Ｄ映像番組を検索する第１の番組検索手段と、 該第１の番組検索手段での検索により得られる前記２Ｄ映像番組の２Ｄ映像を前記表示部に表示させる表示制御手段とを有するデジタルテレビ受信装置。
【請求項２】
前記表示制御手段は、前記第１の番組検索手段での検索により２Ｄ映像の前記２Ｄ映像番組が得られない場合、前記左視野映像及び右視野映像のいずれか一方を前記表示部に表示させる請求項１記載のデジタルテレビ受信装置。
【請求項３】
前記表示制御手段は、前記第１の番組検索手段での検索により２Ｄ映像の前記２Ｄ映像番組が得られない場合、前記左視野映像及び右視野映像のいずれか一方と該左視野映像及び該右視野映像以外の他の映像とを前記表示部の異なる領域に表示させる請求項２記載のデジタルテレビ受信装置。
【請求項４】
前記第１の番組検索手段での検索により２Ｄ映像の前記２Ｄ映像番組が得られない場合、少なくとも該３Ｄ映像番組の放送時間帯と同じ時間帯に放送される他の放送番組を検索する第２の番組検索手段を有し、  前記表示制御手段は、前記左視野映像及び右視野映像のいずれか一方とともに前記第２の番組検索手段での検索結果を前記他の映像として前記表示部に表示させる請求項３記載のデジタルテレビ受信装置。
【請求項５】
前記３Ｄ映像番組の映像を前記表示部に表示させない設定をするための２Ｄ映像番組優先設定手段と、  前記２Ｄ映像番組優先設定手段によって前記３Ｄ映像番組の前記３Ｄ映像を前記表示部に表示させない設定がなされている状態で、前記３Ｄ映像番組判定手段によって前記選局されたチャンネルの放送番組が前記３Ｄ映像番組であると判定されたときに、前記第１の番の組検索手段に前記２Ｄ映像番組を検索させることなく、所定のメッセージを前記表示部に表示させる制御手段とを有する請求項１乃至４のいずれかに記載のデジタルテレビ受信装置。
【請求項６】
請求項１乃至５いずれか記載のデジタルテレビ受信装置と、  ドライバの運転を支援するためのナビゲーション情報を前記表示部に表示させるナビゲーション装置とを有する車載装置。
【請求項７】
前記デジタルテレビ受信装置の前記表示制御手段は、前記３Ｄ映像番組判定手段によって前記選局されたチャンネルの放送番組が３Ｄ映像番組であると判定され、前記第１の番組検索手段での検索により２Ｄ映像の前記２Ｄ映像番組が得られない場合、前記選局されたチャンネルの３Ｄ放送番組の左視野映像および右視野映像のいずれか一方と前記ナビゲーション情報とを前記表示部の異なる領域に表示させる請求項６記載の車載装置。
【発明の詳細な説明】
【技術分野】
【０００１】
本発明は、デジタルテレビ放送を受信する受信機にて選局されたチャンネルの放送番組の映像を表示部に表示するデジタルテレビ受信装置及びデジタルテレビ受信装置を設けた車載装置に関する。
【背景技術】
【０００２】
近年、デジタルテレビ放送の受信に伴い、３Ｄ映像を表示可能な表示装置を設けたデジタルテレビジョン装置が普及してきている。このような３Ｄ映像を視聴するためには、「めがね」等の特別な器具、装置が必要となっている。そのため、３Ｄ映像をいつでも気軽に視聴することは困難である。さらに、現状では、デジタルテレビ放送を受信することによって視聴可能なチャンネルの放送番組全てが３Ｄ映像で表示できる３Ｄ映像番組ではなく、従来より放送されている２Ｄ映像で表示できる２Ｄ映像番組も放送されている。つまり、３Ｄ映像番組と２Ｄ映像番組とが混在して放送されている。
【０００３】
このような２Ｄ映像番組と３Ｄ映像番組とが混在されて放送されている現状を鑑みて、２Ｄ映像と３Ｄ映像との両映像を表示可能な表示装置において、２Ｄ映像の表示をさせる場合には、２Ｄ映像信号を基に２Ｄ映像を表示し、３Ｄ映像信号は２Ｄ映像信号に変換し、該変換された２Ｄ映像信号を基に２Ｄ映像を表示し、３Ｄ映像の表示をさせる場合には、３Ｄ映像信号を基に３Ｄ映像を表示し、２Ｄ映像信号は３Ｄ映像信号に変換し、該変換された３Ｄ映像信号を基に３Ｄ映像を表示させるように次元の変換動作を制御可能な映像表示装置が提案されている（特許文献１）。
【先行技術文献】
【特許文献】
【０００４】
【特許文献１】特開２００６−１２１５５３号公報
【発明の概要】
【発明が解決しようとする課題】
【０００５】
しかしながら、特許文献１記載の映像表示装置では、３Ｄ映像信号（３Ｄ映像番組）を受信した場合に２Ｄ映像信号（２Ｄ映像番組）に変換することが可能であるが、映像信号の次元の変換動作には多様な回路を必要とすることから、映像表示装置の大型化及び該装置を製造するための単価が高くなる。さらには、３Ｄ映像番組の映像に対応していない映像表示装置では、３Ｄ映像番組を選局した場合に、略同様の映像が左視野映像及び右視野映像とに分割されて表示されるため、注視する映像が定まりにくく、かえって表示画面が見にくく、視聴者が不快に感じる場合がある。
【０００６】
本発明は、このような事情に鑑みてなされたもので、３Ｄ映像番組を３Ｄ映像番組に非対応な表示部で表示する際に生じる不快感を解消させることのできるデジタルテレビ受信装置を提供するものである。
【課題を解決するための手段】
【０００７】  本発明に係るデジタルテレビ受信装置は、デジタルテレビ放送を受信する受信機にて選局されたチャンネルの放送番組の映像を３Ｄ映像に非対応の表示部に表示するデジタルテレビ受信装置であって、前記選局されたチャンネルの放送番組が左視野映像及び右視野映像によって３Ｄ映像で表示できる３Ｄ映像番組であるか否かを判定する３Ｄ映像番組判定手段と、該３Ｄ映像番組判定手段により前記選局されたチャンネルの放送番組が前記３Ｄ映像番組であると判定されたときに、前記３Ｄ映像番組と同じ内容の左視野映像及び右視野映像の区別のない映像である２Ｄ映像の２Ｄ映像番組を検索する第１の番組検索手段と、該第１番組検索手段での検索により得られる前記２Ｄ映像番組の２Ｄ映像を前記表示部に表示させる表示制御手段とを有する構成となる。【０００８】  このような構成によれば、選局されたチャンネルの放送番組が左視野映像及び右視野映像によって３Ｄ映像で表示できる３Ｄ映像番組であるか否かを判定する３Ｄ映像番組判定手段によって、選局されたチャンネルの放送番組が前記３Ｄ映像番組であると判定されたときに、第１の番組検索手段での検索によって得られる前記３Ｄ映像番組と同じ内容の２Ｄ映像番組の２Ｄ映像（左視野映像及び右視野映像の区別のない映像）を表示手段が表示部に表示させることから、ユーザが該表示部を見ることによって生じる不快感を解消させることができ、更に、ユーザは選局したチャンネルの放送番組（３Ｄ映像番組）と同じ内容の２Ｄ映像番組を見ることが可能になる。【０００９】  本発明に係るデジタルテレビ受信装置において、前記表示制御手段は、前記第１の番組検索手段での検索により２Ｄ映像の前記２Ｄ映像番組が得られない場合、前記左視野映像及び右視野映像のいずれか一方を前記表示部に表示させる構成とすることができる。【００１０】  このような構成によれば、３Ｄ映像番組判定手段によって選局されたチャンネルの放送番組が３Ｄ映像番組であると判定され、前記第１の番組検索手段での検索により２Ｄ映像の前記２Ｄ映像番組が得られない場合、表示制御手段が左視野映像及び右視野映像のいずれか一方を表示部に表示させるようにすることで、ユーザは不快感を受けることなく、表示部に表示された映像を見ることができるようになる。【００１１】  本発明に係るデジタルテレビ受信装置において、前記表示制御手段は、前記第１の番組検索手段での検索により２Ｄ映像の前記２Ｄ映像番組が得られない場合、前記左視野映像及び右視野映像のいずれか一方と該左視野映像及び該右視野映像以外の他の映像とを前記表示部の異なる領域に表示させる構成とすることができる。【００１２】  このような構成によれば、３Ｄ映像番組判定手段によって選局されたチャンネルの放送番組が３Ｄ番組であると判定され、前記第１の番組検索手段での検索により２Ｄ映像の前記２Ｄ映像番組が得られない場合、表示制御手段が左視野映像及び右視野映像のいずれか一方と該左視野映像及び該右視野映像以外の他の映像とを表示部の異なる領域に表示させることで、表示部に略同様の映像が混在して表示されることがないため、ユーザは注視する映像を容易に選択することが可能となる。【００１３】  本発明に係るデジタルテ���ビ受信装置において、前記第１の番組検索手段での検索により２Ｄ映像の前記２Ｄ映像番組が得られない場合、少なくとも該３Ｄ映像番組の放送時間帯と同じ時間帯に放送される他の放送番組を検索する第２の番組検索手段を有し、前記表示制御手段は、前記左視野映像及び右視野映像のいずれか一方とともに前記第２の番組検索手段での検索結果を前記他の映像として前記表示部に表示させる構成とすることができる。【００１４】  このような構成によれば、第２の番組検索手段によって３Ｄ映像番組の放送時間帯と同じ時間帯に放送されるほかの放送番組が検索され、該第２の番組検索手段によって検索された検索結果と、表示部に表示された左視野映像及び右視野映像のいずれか一方とを見ることによって、他のチャンネルの放送番組を容易に認識することが可能となり、さらには検索された他のチャンネルの放送番組を選択することによって、選択された放送番組（２Ｄ映像番組）の映像を表示部に表示することができるようになる。【００２３】  本発明に係るデジタルテレビ受信装置は、前記３Ｄ映像番組の映像を前記表示部に表示させない設定をするための２Ｄ映像番組優先設定手段と、前記２Ｄ映像番組優先設定手段によって前記３Ｄ映像番組の前記３Ｄ映像を前記表示部に表示させない設定がなされている状態で、前記３Ｄ映像番組判定手段によって前記選局されたチャンネルの放送番組が前記３Ｄ映像番組であると判定されたときに、前記第１の番組検索手段に前記２Ｄ映像番組を検索させることなく、所定のメッセージを前記表示部に表示させる制御手段とを有する構成とすることができる。【００２４】  このような構成によれば、２Ｄ映像番組優先設定手段によって３Ｄ映像番組の３Ｄ映像を表示部に表示させない設定がなされている状態で、３Ｄ映像番組判定手段によって選局されたチャンネルの放送番組が３Ｄ映像番組であると判定されたときに、制御手段が第１の番組検索手段に前記２Ｄ映像番組を検索させることなく、所定のメッセージを表示部に表示させることから、ユーザは選局したチャンネルの放送番組が目視不能であることを容易に把握することが可能となる。【００２７】  発明に係る車載装置は、前述したいずれかのデジタルテレビ受信装置と、ドライバの運転を支援するためのナビゲーション情報を前記表示部に表示させるナビゲーション装置とを有する構成となる。【００２８】
このような構成によれば、デジタルテレビ受信装置の表示部に略同様の映像が表示されることがないため、ユーザが該表示部を見ることによって生じる不快感を解消させることができるようになる。さらに、同じく設けられたナビゲーション装置によるナビゲーション情報をデジタルテレビ受信装置の表示部にて目視することが可能となる。
【００２９】  本発明に係る車載装置において、前記デジタルテレビ受信装置の前記表示制御手段は、前記３Ｄ映像番組判定手段によって前記選局されたチャンネルの放送番組が３Ｄ映像番組であると判定され、前記第１の番組検索手段での検索により２Ｄ映像の前記２Ｄ映像番組が得られない場合、前記選局されたチャンネルの放送番組の左視野映像および右視野映像のいずれか一方と前記ナビゲーション情報とを前記表示部の異なる領域に表示させる構成とすることができる。【００３０】  このような構成によれば、３Ｄ映像番組判定手段によって選局されたチャンネルの放送番組が３Ｄ映像番組であると判定され、第１の番組検索手段での検索により２Ｄ映像の前記２Ｄ映像番組が得られない場合、表示制御手段が選局されたチャンネルの放送番組の左視野映像及び右視野映像のいずれか一方とナビゲーション情報とを表示部の異なる領域に表示させることから、左視野映像及び右視野映像のいずれか一方とナビゲーション情報とを同時に目視することが可能となる。
【発明の効果】
【００３１】  本発明に係るデジタルテレビ受信装置によれば、選局されたチャンネルの放送番組が左視野映像と右視野映像とによって３Ｄ映像で表示できる３Ｄ映像番組であるか否かを判定する３Ｄ映像番組判定手段によって、選局されたチャンネルの放送番組が前記３Ｄ映像番組であると判定されたときに、表示部に略同様の映像が表示されることがないので、ユーザが該表示部を見ることによって生じる不快感を解消させることが可能となる。
【図面の簡単な説明】
【００３２】
【図１】本発明の実施の形態に係るデジタルテレビ受信装置及びナビゲーション装置が適用される車載装置を示すブロック図である。
【図２】選局されたチャンネルの放送番組の映像を表示部に表示させる制御ユニットの処理を示すフローチャートである。
【図３】制御ユニットによって表示部に表示された画面（その１）を示す図である。
【図４】制御ユニットによって表示部に表示された画面（その２）を示す図である。
【図５】制御ユニットによって表示部に表示された画面（その３）を示す図である。
【図６】制御ユニットによって表示部に表示された画面（その４）を示す図である。
【図７】制御ユニットによって表示部に表示された画面（その５）を示す図である。
【図８】制御ユニットによって表示部に表示された画面（その６）を示す図である。
【発明を実施するための形態】
【００３３】
以下、本発明の実施の形態について図面を用いて説明する。
【００３４】
本発明の実施の形態に係るデジタルテレビ受信装置及びナビゲーション装置が適用される車載装置は、図１に示すように構成される。図１において、車載装置３００は、デジタルテレビ受信装置１００とナビゲーション装置２００とを有している。デジタルテレビ受信装置１００は、コンピュータユニット（ＣＰＵを含む）にて構成される制御ユニット１１を有している。制御ユニット１１は、各テレビ局（各チャンネル）にて放送される放送番組を受信するＴＶ受信機１２と、ＴＶ受信機１２によって受信した放送番組の映像を表示させる表示部１３と接続されている。これによって制御ユニット１１は、ＴＶ受信機１２によって受信された各チャンネルの放送番組を表示部１３に表示させることができる。このように構成されたテレビ受信装置１００によって、ユーザは自らが選局したチャンネルの放送番組を自在に視聴（目視）することが可能になっている。なお、表示部１３は、２Ｄ映像を表示することが可能な２Ｄ映像専用の表示部であり、３Ｄ映像の表示はできなくなっている。
【００３５】
一方、ナビゲーション装置２００は、不図示のコンピュータユニット（ＣＰＵを含む）にて構成される処理ユニットを有している。この処理ユニットには、例えば、車両ナビゲーションに必要な位置情報を提供するためのＧＰＳユニット及びセンサ類、地図情報及び各種情報を記憶する記憶部が接続されている。また、処理ユニットには操作ボタン等の操作部及び車室内に設けられたスピーカに音声信号を出力する出力回路が設けられている。これによって処理ユニットは、ＧＰＳユニット及びセンサ類からの位置情報と、記憶部から読み出した地図情報に基づいて車両ナビゲーションに係る処理を実行する。この車両ナビゲーションに係る処理では、例えば、ＧＰＳユニット及びセンサ類により得られる車両位置と目的地の位置とに基づいて車両位置から目的地までの経路（ルート）が検索及び設定され、制御ユニット１１を介して表示部１３にナビゲーションに係る地図とともに車両位置マーク及び設定経路を表示させて、車両の経路案内に係るガイダンスの出力（表示または音声出力）等がなされるようになっている。
【００３６】
このように、デジタルテレビ受信装置１００の表示部１３は、ナビゲーション装置２００の表示部としても機能する。同じく、ナビゲーション装置２００に設けられた不図示のスピーカは、テレビ受信装置１００のＴＶ受信機１２によって受信された選局されたチャンネルの放送番組の音声を制御ユニット１１を介して音声出力が可能となっている。このことから、デジタレテレビ受信装置１００及びナビゲーション装置２００は、車載装置３００として相互的に機能するようになっている。
【００３７】
前述した車載装置３００における制御ユニット１１のＴＶ受信機１２によって受信したユーザによって選局されたチャンネルの放送番組を表示部１３に表示させる処理は、図２に示すようになされる。
【００３８】
図２において、ユーザは、まず自らが視聴したい放送番組が放送されているチャンネルを選局する。すると、制御ユニット１１は、ユーザによって選局されたチャンネルの放送番組が３Ｄ映像番組であるか否かを判定する（Ｓ１１）。一般的には、２Ｄ映像専用の表示部１３において、３Ｄ映像番組をＴＶ受信機１２を介して受信したときに、３Ｄ映像番組は、立体的な映像を表示部１３に表示することはできず、例えば、図８に示すように表示部１３の領域を指定した左視野映像と右視野映像と分割されて表示される。しかしながら、本発明に係るデジタルテレビ受信装置１００においては、左視野映像及び右視野映像によって３Ｄ映像で表示できる３Ｄ映像番組であるか否かを判定する（３Ｄ映像番組判定手段）。制御ユニット１１は、例えば、ＴＶ受信機１２によって受信されたチャンネルの放送番組の映像信号の種類によって判定する。このとき、ユーザによって選局されたチャンネルの放送番組が３Ｄ映像でない（Ｓ１１でＮＯ）と判定されたときに、制御ユニット１１は、例えば、図３に示すように選局された放送番組の３Ｄ映像ではない（２Ｄ映像）番組を表示部１３に表示させる（Ｓ１７）。
【００３９】
一方、ユーザによって選局されたチャンネルの放送番組が３Ｄ映像番組であると判定された（Ｓ１１でＹＥＳ）ときに、制御ユニット１１は、３Ｄ映像番組の映像を表示部１３に表示させない設定がされているか否かを判定する（Ｓ１２）。具体的には、ユーザによって３Ｄ映像番組の映像を表示部１３に表示させない設定（２Ｄ映像番組優先設定手段）がなされているか否かを判定する。これによって、３Ｄ映像番組の映像を表示部１３に表示させない設定がなされている（Ｓ１２でＹＥＳ）と判定されたときに、制御ユニット１１は、例えば、図７に示すように、３Ｄ映像番組の左視野映像及び右視野映像のいずれも表示部１３に表示させることなく所定のメッセージ（３Ｄ映像が目視することができないことを示すメッセージ）を表示（報知手段）させる（Ｓ１３）。これによって、ユーザは自らが選局したチャンネルの放送番組が視聴できないことを即座に把握することができるようになる。なお、制御ユニット１１は、３Ｄ映像が表示できないことを示す所定のメッセージを表示部１３に表示させることとしたが、もちろん、警報が不図示のスピーカから発せられるようにしてもよい。
【００４０】
一方、３Ｄ映像番組の映像を表示部１３に表示させない設定がなされていない（Ｓ１２でＮＯ）と判定されたときに、制御ユニット１１は、ＴＶ受信機１２を介して他のチャンネルの放送番組を表示する電子番組表（ＥＰＧ）を取得する（Ｓ１４）。そして、制御ユニット１１は、ＥＰＧ（電子番組表）から該３Ｄ映像番組と同じ内容の２Ｄ映像番組を検索し、該２Ｄ映像番組があるか否かを判定する（Ｓ１５）。これによってユーザが選局したチャンネルの放送番組と同じ内容の２Ｄ映像番組があると判定された（Ｓ１５でＹＥＳ）ときに、制御ユニット１１は、ユーザが選局したチャンネルを検索によって得られた２Ｄ映像番組が放送されているチャンネルに切り換える（Ｓ１６）。そして制御ユニット１１は、前述したように切り換えられたチャンネルにて放送される前述した処理Ｓ１５にて得られた２Ｄ映像番組を図３に示すように表示部１３に表示させる（Ｓ１７）。
【００４１】
一方、ユーザが選局したチャンネルの放送番組と同じ内容の２Ｄ映像番組がないと判定された（Ｓ１５でＮＯ）ときに、制御ユニット１１は、ナビゲーション情報を表示部１３に表示するか否かを判定する（Ｓ１８）。これによって、ナビゲーション情報を表示部１３に表示すると判定された（Ｓ１８でＹＥＳ）ときに、制御ユニット１１は、例えば、図４に示すように左視野映像（Ｌ映像）とナビゲーション情報とを表示部１３の異なる領域に表示させる。これによってユーザは、表示部１３を目視することによって、３Ｄ映像番組の左視野映像（Ｌ映像）とナビゲーション情報とを同時に把握することが可能となる。
【００４２】
また、前述した処理Ｓ１８にて、ナビゲーション情報を表示部１３に表示しないと判定された（Ｓ１８でＮＯ）ときに、制御ユニット１１は、ユーザが選局したチャンネルの放送番組（３Ｄ映像番組）の放送時間帯と同じ時間帯に放送される他の放送番組を前述した電子番組表（ＥＰＧ）を基に検索（番組検索手段）する（Ｓ２０）。そして制御ユニット１１は、前述した処理Ｓ２０にて検索された検索結果である番組表を左視野映像（Ｌ映像）とともに、例えば図５に示すように表示部１３に表示させる（Ｓ２１）。このように表示された番組表から、ユーザが他のチャンネルの放送番組を選択したときに、制御ユニット１１は左視野映像（Ｌ映像）を表示することなく新たに選択された放送番組の映像（２Ｄ映像）を表示部１３全体に表示させるようにしてもよい。また、他のチャンネルの放送番組の映像と３Ｄ映像番組の左視野映像（Ｌ映像）及び右視野映像（Ｒ映像）のいずれか一方とを、例えば、図６に示すように表示部１３に表示するようにしてもよい。
【００４３】
なお、前述した処理Ｓ１９及び処理Ｓ２１において表示部１３には、３Ｄ映像番組の左視野映像が表示されているが、もちろん右視野映像（Ｒ映像）を表示するようにしてもよい。さらに選局されたチャンネルの放送番組が３Ｄ映像番組であると判定されたときに、左視野映像及び右視野映像のいずれも表示部１３に表示しないようにしてもよい。
【産業上の利用可能性】
【００４４】
以上、説明したように、本発明に係るデジタルテレビ受信装置は、選局されたチャンネルの放送番組が左視野映像及び右視野映像によって３Ｄ映像で表示できる３Ｄ映像番組であるか否かを判定する３Ｄ映像番組判定手段によって、選局されたチャンネルの放送番組が前記３Ｄ映像番組であると判定されたときに、表示手段によって前記選局されたチャンネルの放送番組の前記左視野映像及び右視野映像の少なくともいずれか一方を前記表示部に表示させないことから、表示部に略同様の映像が表示されることがないため、ユーザが該表示部を見ることによって生じる不快感を解消させるという効果を奏し、デジタルテレビ放送を受信する受信機にて選局されたチャンネルの放送番組の映像を表示部に表示するデジタルテレビ受信装置及びデジタルテレビ受信装置を設けた車載装置として有用である。
【符号の説明】
【００４５】
１１  制御ユニット
１２  ＴＶ受信機
１３  表示部
１００  デジタルテレビ受信装置
２００  ナビゲーション装置
３００  車載装置
【図１】
0005483357.tif 000002
【図２】
0005483357.tif 000003
【図３】
0005483357.tif 000004
【図４】
0005483357.tif 000005
【図５】
0005483357.tif 000006
【図６】
0005483357.tif 000007
【図７】
0005483357.tif 000008
【図８】
0005483357.tif 000009